(57)【要約】【課題】もともとある便座を簡単にマッサージ機能のついた便座に変え、また使用者の好みに合った場所をマッサージ出来、さらにメンテナンスを容易としたマッサージ装置を提供すること。【解決手段】振動発生手段ないしは人体を局部的に圧迫する押圧手段いずれか１つ以上を有するマッサージ装置本体からなり、マッサージ装置本体は便座装置の便座もしくは便蓋内側もしくは前記便座装置本体または腰掛便器用背もたれ手すり器具に装着可能であり、前記振動発生手段から発生する振動や前記押圧手段から発生する圧力を前記便座装置に着座している人体に伝達可能に構成したマッサージ装置とした。【選択図】　図１
2004089280.tif 000002
【特許請求の範囲】
【請求項１】
振動発生手段ないしは人体を局部的に圧迫する押圧手段いずれか１つ以上を有するマッサージ装置本体からなり、マッサージ装置本体は便座装置の便座もしくは便蓋内側もしくは前記便座装置本体または腰掛便器用背もたれ手すり器具に装着可能であり、前記振動発生手段から発生する振動や前記押圧手段から発生する圧力を前記便座装置に着座している人体に伝達可能に構成したことを特徴とするマッサージ装置。
【請求項２】
前記便座装置には外部への電力供給手段を備え、前記振動発生手段ないしは前記押圧手段を駆動させるための電力を前記電力供給手段から受け取るための電力受け取り手段を備えたことを特徴とする請求項１記載のマッサージ装置。
【請求項３】
前記便座装置には便座装置の動作を制御する便座装置制御手段と前記便座装置制御手段からの信号を外部に供給する信号供給手段を備え、前記振動発生手段ないしは前記押圧手段を制御させるための信号を前記信号供給手段から受け取るための信号受信手段を備えたことを特徴とする請求項１記載ないしは請求項２記載のマッサージ装置。
【請求項４】
前記振動発生手段ないしは前記押圧手段は乾電池等の蓄電池等で駆動させることを特徴とした請求項３記載のマッサージ装置。
【請求項５】
前記振動発生手段ないしは前記押圧手段の駆動を操作するためのマッサージ装置操作手段が、前記マッサージ装置本体ないしは前記便座装置を操作するための便座装置操作手段に設けられていることを特徴とする請求項２ないしは請求項４記載のマッサージ装置。
【請求項６】
前記便座装置が有する前記便座装置に人体が近づいたことを検知する人体検知手段ないしは前記便座装置に人体が着座したことを検知する着座検知手段ないしは前記便座装置の便座・便蓋の開閉状態を検知する便座・便蓋開閉検知手段いずれか一つ以上に、前記振動発生手段もしくは前記押圧手段が連動することを特徴とする請求項３ないしは請求項５記載のマッサージ装置。
【請求項７】
前記マッサージ装置本体への人体の接触を検知する接触検知手段を有し、前記振動発生手段ないしは前記押圧手段が前記接触検知手段に連動することを特徴とする請求項３ないしは請求項６記載のマッサージ装置。
【請求項８】
使用者が好みによって前記振動発生手段ないしは前記押圧手段の振動や押圧の周波数や振幅や荷重やタイミングを調節するマッサージ機能調節手段を備えたことを特徴とする請求項１ないしは請求項７記載のマッサージ装置。
【請求項９】
前記振動発生手段ないしは前記押圧手段が起動後一定時間経過した後動作を終了させるタイマー手段を備えたことを特徴とする請求項１ないしは請求項８記載のマッサージ装置。
【請求項１０】
前記振動発生手段は電磁誘導型発生子や圧電型振動子といった電気エネルギーを機械的振動エネルギーに変換する電気エネルギー振動エネルギー変換手段であることを特徴とする請求項１ないしは請求項９記載のマッサージ装置。
【請求項１１】
前記マッサージ装置本体の少なくとも人体が接触する箇所の表面を覆う取り替え可能なカバーを備えたことを特徴とする請求項１ないしは請求項１０記載のマッサージ装置。
【請求項１２】
前記マッサージ装置本体の便座装置への装着位置が調節可能であることを特徴とする請求項１ないしは請求項１１記載のマッサージ装置。
【請求項１３】
前記振動発生手段ないしは前記押圧手段が腰掛便器用背もたれ手すり器具の背もたれ部または手すり部に内蔵され、前記腰掛便器用背もたれ手すり器具と一体となっていることを特徴とする請求項１ないしは請求項１１記載のマッサージ装置。
【発明の詳細な説明】
【０００１】
【発明の属する技術分野】
本発明は便座に着座した人体をマッサージするためのマッサージ装置に関する。
【０００２】
【従来の技術】
従来の便座に着座した人体をマッサージする機能を持った装置としては、図７に示すように、便座そのものに振動発生装置を設けたものがある。この装置では、便座に着座した人は便座と接触した体表面を介して振動発生装置からの振動を体に感じ、これにより疲労回復や便意促進といったマッサージ効果を体感することが出来る。
【０００３】
【発明が解決しようとする課題】
しかしながら、上記の構成では、マッサージ機能のついていない便座装置を持っている人は、便座に腰掛けながらマッサージをしたい場合、便座装置そのものを交換しなくてはならず、コストがかかる、また施工が大変になるといった不具合が生じる。
【０００４】
また、上記の構成では振動発生箇所が常に固定されているため使用者の体の大きさが違う場合や、マッサージしたい場所が違う場合に、マッサージしたい場所に振動発生箇所を合わせることが出来ず、使用者の体の最適な箇所をマッサージすることが出来ない。
【０００５】
また、マッサージ機能が壊れた時に便座そのものを取り外して修理せねばならず、メンテナンスが大変になるといった不具合が生じる。
【０００６】
本発明は上記課題を解決するためになされたもので、本発明の目的は、もともとある便座を簡単にマッサージ機能のついた便座に変えることや使用者の好みに合った場所をマッサージ出来るようにすることやマッサージ装置のメンテナンスを容易にすることにある。
【０００７】
【課題を解決するための手段及びその作用・効果】
請求項１記載のマッサージ装置は振動発生手段ないしは人体を局部的に圧迫する押圧手段いずれか１つ以上を有するマッサージ装置本体からなり、マッサージ装置本体は便座装置の便座もしくは便蓋内側もしくは前記便座装置本体または腰掛便器用背もたれ手すり器具に装着可能であり、前記振動発生手段から発生する振動や前記押圧手段から発生する圧力を前記便座装置に着座している人体に伝達可能に構成したことを特徴とするものである。これによって元からあった便座装置や腰掛便器用背もたれ手すり器具を取り替えることなく、便座に座った時にマッサージ機能を使うことが出来る。
またマッサージ装置を便座に取り付ければ太股の後ろを、便蓋の内側に取り付ければ、背中や腰を、前記マッサージ装置本体の便座・便蓋のヒンジ付近に取り付ければ臀部を、腰掛便器用背もたれ手すり器具の背もたれ部に取付ければ背中や腰を、腰掛便器用背もたれ手すり器具の手すり部に取付ければ腕をマッサージすることが出来、マッサージ出来るからだの部位を広げることが出来る。
【０００８】
請求項２記載のマッサージ装置は前記便座装置には外部への電力供給手段を備え、前記振動発生手段ないしは前記押圧手段を駆動させるための電力を前記電力供給手段から受け取るための電力受け取り手段を備えたことを特徴とする請求項１記載のマッサージ装置である。仮にマッサージ装置の電力を便座装置と独立に供給すると場合、トイレ空間のコンセントに新たにプラグを接続することになり、その分美観が損なわれるし、またコンセント付近にコードが多数集まってしまいコードが絡まるといった不具合が生じることになる。
しかし、請求項２記載のマッサージ装置のように便座装置を介してマッサージ装置に電力を供給すればマッサージ装置と便座装置併せて１つのプラグ・１本のコードで双方に電力を供給することが出来、上記のような不具合を避けることが出来る。
【０００９】
請求項３記載のマッサージ装置は前記便座装置には便座装置の動作を制御する便座装置制御手段と前記便座装置制御手段からの信号を外部に供給する信号供給手段を備え、前記振動発生手段ないしは前記押圧手段を制御させるための信号を前記信号供給手段から受け取るための信号受信手段を備えたことを特徴とする請求項１記載ないしは請求項２記載のマッサージ装置である。これによって便座装置制御手段が発信する信号を元にマッサージ装置を動作させることが出来、たとえば前記便座装置と本マッサージ装置の操作部を共通にすることが出来る。
これによって使用者が一つの操作部で前記便座装置本マッサージ装置を操作することが出来、操作しやすくなる、また操作部が１つになることによるコストダウンが可能になるといった効果を得られる。また前記便座装置が有する何らかの検知手段からの情報に基づいて前記振動は制手段ないしは前記押圧手段の前記便座装置の動作を制御するようにすれば、使用者にとって最適なタイミングで本マッサージ装置を動作させることが出来る。
【００１０】
請求項４記載のマッサージ装置は前記振動発生手段ないしは前記押圧手段は乾電池等の蓄電池等で駆動させることを特徴とした請求項３記載のマッサージ装置である。これによって請求項３記載のマッサージ装置と同様に便座装置制御手段が発信する信号を元にマッサージ装置を動作させることが出来、なおかつ前記振動発生手段ないしは前記押圧手段を動かすための動力はマッサージ装置単独でも供給可能となりマッサージ装置の設置方法等の設計の自由度が大きくなるなどの効果を得られる。
【００１１】
請求項５記載の前記振動発生手段ないしは前記押圧手段の駆動を操作するためのマッサージ装置操作手段が、前記マッサージ装置本体ないしは前記便座装置を操作するための便座装置操作手段に設けられていることを特徴とする請求項２ないしは請求項４記載のマッサージ装置である。これによって使用者が前記振動発生手段ないしは前記押圧手段の動作を操作することが出来るようになる。
また、前記マッサージ装置操作手段を前記便座装置に設ければ、一つの操作部で前記便座装置本マッサージ装置を操作することが出来、操作しやすくなる、また操作部が１つになることによるコストダウンが可能になるといった効果を得られる。
【００１２】
請求項６記載のマッサージ装置は前記便座装置が有する前記便座装置に人体が近づいたことを検知する人体検知手段ないしは前記便座装置に人体が着座したことを検知する着座検知手段ないしは前記便座装置の便座・便蓋の開閉状態を検知する便座・便蓋開閉検知手段いずれか一つ以上に、前記振動発生手段もしくは前記押圧手段が連動することを特徴とする請求項３ないしは請求項５記載のマッサージ装置である。これによって、人体が前記便座装置に近づく、もしくは着座が検知されると前記振動発生手段もしくは前記押圧手段が始動するように設定しておけば使用者が前記便座装置に近づいたり着座するだけで何の操作もせずに自動的にマッサージをすることが出来る。
また、人体が前記便座装置から離れたり、離座検知されると前記振動発生手段もしくは前記押圧手段が停止するように設定しておけば使用者が用便を済ませて前記便座装置から離れる、もしくは離座するだけで前記振動発生手段を停止させることが出来るため、マッサージ装置の操作を簡単にすることが出来る。
また、マッサージ装置の操作部をなくすことも可能となり、装置全体を簡便なものにすることが出来、美観・コスト・操作性ともに高い効果を得ることが出来る。
また、前記便座・便蓋開閉検知手段によって便蓋が開いておりなおかつ便座が下りているときのみ、前記振動発生手段もしくは前記押圧手段が始動するように設定しておけば、何らかの操作ミスや人体検知手段や着座検知手段の誤検知があった場合も、便座が上がっていたり便蓋が下りていたりといった使用者が本発明のマッサージ装置を使用するはずのない場合にマッサージ機能が始動することを防ぐことが出来る。これによって使用者は安全、快適に本発明のマッサージ装置を使用することが出来る。
【００１３】
請求項７記載のマッサージ装置は前記マッサージ装置本体への人体の接触を検知する接触検知手段を有し、前記振動発生手段ないしは前記押圧手段が前記接触検知手段に連動することを特徴とする請求項３ないしは請求項６記載のマッサージ装置である。これによって、前記マッサージ装置本体への人体の接触が検知されると前記振動発生手段ないしは前記押圧手段が始動するように設定しておけば前記装置に接触するだけで他に何の操作もせずに自動的にマッサージをすることが出来たり、前記マッサージ装置本体への人体の接触がなくなると前記振動発生手段ないしは前記押圧手段が停止するように設定しておけば前記マッサージ装置本体から体を離すだけで前記振動発生手段を停止させることが出来るため、マッサージ装置の操作を非常に簡単にすることが出来る。
また、マッサージ装置の操作部をなくすことも可能となり、装置全体を簡便なものにすることが出来、美観・コスト・操作性ともに高い効果を得ることが出来る。
【００１４】
請求項８記載のマッサージ装置は使用者が好みによって前記振動発生手段ないしは前記押圧手段の振動や押圧の周波数や振幅や荷重やタイミングを調節するマッサージ機能調節手段を備えたことを特徴とする請求項１ないしは請求項７記載のマッサージ装置である。これによって前記振動発生手段ないしは前記押圧手段の振動や押圧の周波数や振幅や荷重やタイミングを使用者が自分の好みに合うように自在に調整することが出来、快適にマッサージすることが出来る。
【００１５】
請求項９記載のマッサージ装置は前記振動発生手段ないしは前記押圧手段が起動後一定時間経過した後動作を終了させるタイマー手段を備えたことを特徴とする請求項１ないしは請求項８記載のマッサージ装置である。これによって例えば使用者がマッサージ装置でマッサージを始め、その後マッサージを終えようと思った時に、わざわざ何らかの操作をしてマッサージを終了させなくても、自動的にマッサージを終えることが出来る。これによって操作が簡単になる、マッサージを終了し忘れることによって前記振動発生手段ないしは前記押圧手段が動きつづけることによるエネルギーの無駄を防ぐことが出来る、といった効果を得ることが出来る。
【００１６】
請求項１０記載のマッサージ装置は前記振動発生手段は電磁誘導型発生子や圧電型振動子といった電気エネルギーを機械的振動エネルギーに変換する電気エネルギーー振動エネルギー変換手段であることを特徴とする請求項１ないしは請求項９記載のマッサージ装置である。電磁誘導型発生子や圧電型振動子といった電気エネルギーを機械的振動エネルギーに変換する電気エネルギーー振動エネルギー変換手段の動作は負荷する電圧を制御するだけですむため、これによって前記振動発生手段の振動の振幅・周期・タイミング等の調整が容易になる。
【００１７】
請求項１１記載のマッサージ装置は前記マッサージ装置本体の少なくとも人体が接触する箇所の表面を覆う取り替え可能なカバーを備えたことを特徴とする請求項１ないしは請求項１０記載のマッサージ装置である。これによってマッサージ装置が使用者の肌に触れて人体の汗や垢でマッサージ装置の表面が汚れた時も、マッサージ装置表面のみを取り替えることが出来るため、いつでも簡単にマッサージ装置表面を清潔に保つことが出来る。
また、前記カバーの素材を複数用意することで、マッサージ装置の表面を好みの素材にすることが出来、前記カバーを取り替えることで簡単に好みの肌触りでマッサージを行うことが出来る。
【００１８】
請求項１２記載のマッサージ装置は前記マッサージ装置本体の便座装置への装着位置が調節可能であることを特徴とする請求項１ないしは請求項１１記載のマッサージ装置である。これによって体の大きさが違っていたり、マッサージしたい箇所が違っていてもマッサージする場所を好みの位置に合わせることが出来る。
【００１９】
請求項１３記載のマッサージ装置は前記振動発生ないし前記押圧手段が前記腰掛便器用背もたれ手すり器具の背もたれ部または手すり部に内蔵され、前記腰掛便器用背もたれ手すり器具と一体となっていることを特徴とする請求項１ないしは請求項１１記載のマッサージ装置である。これによって従来から存在する腰掛便器用背もたれ手すり器具と外観上大きく変わることないマッサージ機能付き腰掛便器用背もたれ手すり器具を得ることが出来る。
【００２０】
【実施の形態】
本発明の第１の実施例について説明する。
図１に示すように本マッサージ装置は既に便器に取り付けられた便座装置の便座１０１の上にそのマッサージ装置本体１が載せられている。マッサージ装置本体１の上面は使用者の体の形状に合うカーブで形成されており、裏面は便座１０１の上面の形状に合うカーブで形成されている。こうすることで、使用者が快適にマッサージ装置本体１上に座ることが出来、またマッサージ装置本体１を安定に便座１０１上に固定することが出来る。
【００２１】
マッサージ装置本体１はその内部に振動発生手段２を有する。この振動発生手段２は使用者がこのマッサージ装置がのせられた便座１０１に腰掛けたときに大腿部付け根の背面部分を中心として振動伝わるような位置に設置されている。マッサージ装置本体１表面を成形する発泡樹脂は、軟質ウレタンフォーム、硬質ウレタンフォーム、ポリエチレンフォーム、架橋ポリエチレンフォーム、ポリプロピレンフォーム、ＥＶＡ（エチレン酢酸ビニル）、スチレンフォームの中から選ばれた少なくとも１種であり、振動発生手段２の振動はマッサージ装置本体１表面にまで伝播し使用者の大腿部背面に振動を伝えることが出来るような柔らかさになっている。この時の発泡樹脂の密度は１０ｋｇ／ｍ３から２００ｋｇ／ｍ３が好ましい。
【００２２】
また、振動発生手段２への電力および制御信号を便座装置へ送るためのケーブルａ３がマッサージ装置本体１から出ており、このケーブルａ３は先端にプラグ４を有し、便座装置はこのプラグ４が接続出来るジャック１０４を持っている。
【００２３】
図２に示すように、この振動発生手段２は内部に電磁誘導モーター２１を有し、電磁誘導モーター２１の軸２２に取付けられた錘２４の重心は軸２２から偏心しており、モーターが回転すると錘２４を含むモーター全体が振動するようになっている。この振動発生手段２の別の形態として圧電型振動子を利用しても良い。また電磁誘導モーター２１に電力を供給するためのケーブルｂ２３が接続されており、ケーブルｂ２３はケーブルａ３に接続されている。便座装置本体１００の表面にジャックを設け、そのジャックにケーブルｂ２３を接続し、とケーブルａ３の先端にプラグを設け、このプラグをジャックに差すことで、ケーブルｂ２３とケーブルａ３を接続出来るようにしても良い。こうすれば、使わない時はケーブルａ３を取り外しておくことが出来、トイレ空間の美観を損なわない。
【００２４】
図３に示すように便座装置は便座装置本体１００と便座１０１とリモコン１０２からなり、便座装置本体１００は内部にリモコン１０２からの入力に基づいて便座装置の各部に動作信号を送るコントローラー１０３を有する。また便座装置本体１００は前述したジャック１０４もその側壁に有する。ジャック１０４は便座装置本体１００内部で便座装置への電力を供給する電源１０５と接続されている。リモコン１０２は振動発生手段２の動作のオンオフを切り替えるマッサージオンオフボタン１０７と振動のタイミングを調整するマッサージタイミング調整ボタン１０７を有する。コントローラー１０３はリモコン１０２のマッサージオンオフボタンからの入力に基づき電源１０５のジャック１０４への電力供給のオンオフを制御する。またリモコン１０２のマッサージタイミング調整ボタン１０７からの入力に合わせて電源１０５のジャック１０４への電力供給のタイミングを制御する。便座装置はこのほかに局部を洗浄する局部洗浄手段１０８や、局部を乾燥させるための乾燥手段１０９や便座１０１を暖める暖房便座手段１１０を有する。
【００２５】
このような装置が使用者が便座１０１に着座してからどのように動作するのかを以下に述べる。まず使用者が便座１０１に着座すると便座１０１の上にはマッサージ装置本体１が載せられているため、使用者の大腿部裏がマッサージ装置本体１表面に接することになる。そして使用者がリラックス・便意促進などを期待してマッサージを始めようとしてリモコン１０２のマッサージオンオフボタン１０７を押すとこの信号をコントローラー１０３が受信しジャック１０４に対してプラグ４とケーブルａ３・ケーブルｂ２３を介して電磁誘導モーター２１に電力を供給するように電源１０５に信号を送る。すると電磁誘導モーター２１は回転し、軸２２が偏心しているために振動が発生しこの振動がマッサージ装置本体１表面にまで伝わり、使用者の大腿部背面に振動を伝える。これによって使用者はマッサージ効果を得ることが出来る。
【００２６】
本発明の第２の実施例について説明する。
マッサージ装置の外形・素材は第１の実施例と同様である。また、振動発生手段２の形態と振動発生手段２への電力の供給方法も第１の実施例と同様である。
【００２７】
図４に示すようにように便座装置の便座装置本体１００は内部に使用者の便座１０１への着座を検知する着座検知センサー１１１を有する。また、便座装置各部に動作信号を送るコントローラー１０３を有する。コントローラー１０３は着座検知センサー１１１からの信号を受信する。また便座装置本体１００は前述したジャック１０４をその側壁に有する。ジャック１０４は便座装置本体１００内部で便座装置への電力を供給する電源１０５と接続されている。
さらに、コントローラー１０３は着座検知センサー１１１からの入力に基づき電源１０５の前記ジャック１０４への電力供給のオンオフを制御する。この時、着座検知センサー１１１により着座が検知されたときにはジャック１０４への電力供給をオン、離座が検知されたときにはジャック１０４への電力供給をオフする。
【００２８】
また、この他に局部を洗浄する局部洗浄手段１０８や、局部を乾燥させるための乾燥手段１０９便座１０１を暖める暖房便座手段１１０を有する。
【００２９】
このような装置が使用者が便座１０１に着座してからどのように動作するのかを以下に述べる。
まず、使用者が便座１０１に着座すると便座１０１の上にはマッサージ装置本体１が載せられているため、使用者は大腿部裏がマッサージ装置本体１表面に接することになる。そして使用者が着座すると着座検知センサー１１１が人体の着座を検知して、この信号をコントローラー１０３が受信しプラグ４とケーブルａ３・ケーブルｂ２３を介して電磁誘導モーター２１に電力を供給するように電源１０５に信号を送る。すると電磁誘導モーター２１は回転し、軸２２が偏心しているために振動が発生しこの振動がマッサージ装置本体１表面にまで伝わり、使用者の大腿部背面に振動を伝える。これによって使用者はマッサージ効果を得ることが出来る。
【００３０】
次に第３の実施例を示す。
第１や第２の実施例ではマッサージ装置本体１は、図１に示すように便座１０１の上に載せられていたが、図５に示すように便座装置の便蓋裏に設置し、使用者の腰付近に振動を与えるような形態をとっても良い。この時、マッサージ装置本体１前面は使用者の背中のカーブに合うようなカーブで形成されており、背面には吸盤５がついている。こうすることで使用者が快適に装置に背中を合わせることが出来、またマッサージ装置本体１を便座装置の便蓋に押しつけて吸盤の吸引力で安定に取り付けることが出来る。
マッサージ装置本体１の内部には振動発生手段２を有する。この振動発生手段２の電力供給方法と制御方法は第１の実施例もしくは第２の実施例どちらでも良い。
【００３１】
次に第４の実施例を示す。第１ないし第３の実施例では装置本体は便座装置に付帯していたが、図６に示すように腰掛便器用背もたれ手すり器具１１２の背もたれ部１１３に設置し、使用者の背中付近に振動を与えるような形態をとっても良い。この時、マッサージ装置本体１の前面は使用者の背中のカーブに合うようなカーブで形成されており、使用者が快適に装置に背中を合せることが出来る。また、マッサージ装置本体１を腰掛便器用背もたれ手すり器具１１２の手すり部１１４に設置しても良く、この時、使用者は腕に関してマッサージ効果を得ることが出来る（図示せず）。また、背もたれ部または手すり部に内蔵して配置しても良い（図示せず）。
【図面の簡単な説明】
【図１】本発明の第１の実施例におけるマッサージ装置の構成図
【図２】本発明の第１、第２、第３、第４の実施例における振動発生装置の内部のモーターの構成図
【図３】本発明の第１の実施例におけるマッサージ装置が載置される便座装置の構成図
【図４】本発明の第２の実施例におけるマッサージ装置が載置される便座装置の構成図
【図５】本発明の第３の実施例におけるマッサージ装置の構成図
【図６】本発明の第４の実施例におけるマッサージ装置の構成図
【図７】マッサージ機能を備えた従来の便器装置の図
【符号の説明】
１…マッサージ装置本体
２…振動発生手段
３…ケーブルａ
４…プラグ
５…吸盤
２１…電磁誘導モーター
２２…軸
２３…ケーブルｂ
２４…錘
１００…便座装置本体
１０１…便座
１０２…リモコン
１０３…コントローラー
１０４…ジャック
１０５…電源
１０６…マッサージオンオフボタン
１０７…マッサージタイミング調整ボタン
１０８…局部洗浄手段
１０９…乾燥手段
１１０…暖房便座手段
１１１…着座検知センサー
１１２…腰掛便器用背もたれ手すり器具
１１３…背もたれ部
１１４…手すり部
【図１】
2004089280.tif 000003
【図２】
2004089280.tif 000004
【図３】
2004089280.tif 000005
【図４】
2004089280.tif 000006
【図５】
2004089280.tif 000007
【図６】
2004089280.tif 000008
【図７】
2004089280.tif 000009